(57)【要約】【課題】優先制御を利用し双方向で音声品質を確保する。【解決手段】無線端末局２によって、優先制御起動メッセージが受信されると、優先制御フラグが設定されるとともに、無線端末局２のＭＡＣアドレスが含まれ優先制御の識別子が設定されたパケットが無線基地局１に送信され、無線端末局２と無線基地局１のアソシエーションが確立されるステップと、パケットが受信されると、無線端末局２のＭＡＣアドレスが優先端末管理テーブル１１１に記憶されるステップと、無線端末局２によって、統合アクセス装置３からの上りパケットが最後に受信されてからの無通信時間がカウントされ、無通信時間が所定時間経過すると、アソシエーションが切断されるステップと、アソシエーションが切断されると、無線基地局１によって、優先端末管理テーブル１１１から無線端末局２のＭＡＣアドレスが削除されるステップとを備える。【選択図】      図１
2006229620.tif 000002
【特許請求の範囲】
【請求項１】
通信中継装置と、基地局と、端末局と、統合アクセス装置と、前記統合アクセス装置に接続されユーザによるネットワークデータの送受信を可能にする情報端末とを備え、前記基地局と前記端末局との間が低速ネットワークで接続され、前記通信中継装置と前記基地局、及び前記端末局と前記統合アクセス装置は前記低速ネットワークより高速なネットワークで接続される通信システムにおいて、前記低速ネットワークで送受信される所定のパケットを優先制御するパケット優先制御通信方法であって、
前記端末局によって、優先制御起動メッセージが受信されると、端末局優先制御フラグがオンに設定されるとともに、前記端末局と前記基地局とでアソシエーションが接続されている時に前記端末局のアドレスおよび優先設定情報が含まれたパケットが送信、又は、前記端末局と前記基地局とで既に接続されたアソシエーションを切断して新たなアソシエーションを接続する時に前記端末局のアドレスおよび前記優先設定情報が含まれたアソシエーション接続メッセージが送信されることにより、前記端末局に送信されるパケットの優先制御を前記基地局に開始させるステップと、
前記基地局によって、前記端末局のアドレス及び優先設定情報が受信されると、前記端末局のアドレスが優先端末管理テーブルに記憶されるステップと、
前記基地局によって、前記端末局から優先制御の識別子が設定された優先対象の上りパケットが受信されると、前記優先管理テーブルの前記端末局のアドレスに対応づけられた基地局優先制御フラグがオンに設定されるステップと、
前記基地局によって、前記端末局から優先制御の識別子が設定された優先対象の上りパケットが最後に受信されてからの無通信時間がカウントされ、前記無通信時間が所定時間経過すると、前記優先端末管理テーブルの前記端末局のアドレスに対応づけられた前記基地局優先制御フラグがオフに設定されるステップ
とを備えることを特徴とするパケット優先制御通信方法。
【請求項２】
前記統合アクセス装置によって、前記情報端末から通信先端末宛に送信された上りパケットが受信されるとともに、受信された前記上りパケットが優先対象のパケットである場合、前記識別子が設定された優先対象の前記上りパケットが前記端末局に送信されるステップと、
前記端末局によって、前記統合アクセス装置から前記識別子が設定された優先対象の前記上りパケットが受信されると、前記端末局優先制御フラグがオンに設定されている場合、前記識別子が設定された優先対象の上りパケットが前記端末局の優先キューデータに入力されるとともに、前記端末局の通常キューデータに入力された上りパケットより優先的に、前記端末局の優先キューデータに入力された上りパケットが前記基地局に送信されるステップと、
前記基地局によって、前記端末局から前記識別子が設定された優先対象の上りパケットが入力されると、前記無通信時間がリセットされ、前記識別子が設定された優先対象の上りパケットが前記通信中継装置に送信されるステップ
を更に備えることを特徴とする請求項１に記載のパケット優先制御通信方法。
【請求項３】
前記通信中継装置に送信されるステップは、
前記基地局によって、前記端末局から前記識別子が設定された優先対象の上りパケットが入力されると、前記無通信時間がリセットされ、前記識別子が設定された優先対象の上りパケットから前記識別子が削除された上りパケットが前記通信中継装置に送信される
ことを特徴とする請求項２に記載のパケット優先制御通信方法。
【請求項４】
前記基地局によって、前記通信中継装置から前記情報端末宛の下りパケットが受信されると、前記下りパケットが優先対象のパケットであって、前記優先端末管理テーブルに前記下りパケットの受信ステーションアドレスである前記端末局のアドレスが記憶され、更に前記端末局のアドレスに対応づけられた基地局優先制御フラグがオンに設定されている場合、前記下りパケットが前記基地局の優先キューデータに入力されるとともに、前記基地局の通常キューデータに入力された下りパケットより優先的に、前記基地局の優先キューデータに入力された前記下りパケットが前記端末局に送信されるステップ
を更に備えることを特徴とする請求項１乃至３のいずれか１項に記載のパケット優先制御通信方法。
【請求項５】
通信中継装置と、基地局と、端末局と、統合アクセス装置と、前記統合アクセス装置に接続されユーザによるネットワークデータの送受信を可能にする情報端末とを備え、前記基地局と前記端末局との間が低速ネットワークで接続され、前記通信中継装置と前記基地局、及び前記端末局と前記統合アクセス装置は前記低速ネットワークより高速なネットワークで接続される通信システムにおいて、前記低速ネットワークで送受信される所定のパケットを優先制御するパケット優先制御通信方法であって、
前記端末局によって、優先制御起動メッセージが受信されると、端末局優先制御フラグがオンに設定されるとともに、前記端末局と前記基地局とでアソシエーションが接続されている時に前記端末局のアドレスおよび優先設定情報が含まれたパケットが送信、又は、前記端末局と前記基地局とで既に接続されたアソシエーションを切断して新たなアソシエーションを接続する時に前記端末局のアドレスおよび前記優先設定情報が含まれたアソシエーション接続メッセージが送信されることにより、前記端末局に送信されるパケットの優先制御を前記基地局に開始させるステップと、
前記基地局によって、前記端末局のアドレス及び優先設定情報が受信されると、前記端末局のアドレスが優先端末管理テーブルに記憶されるステップと、
前記基地局によって、前記端末局から上りパケットが受信されると、前記上りパケットで送信元アドレスとして含まれた前記統合アクセス装置のアドレスが、前記優先端末管理テーブルに記憶されておらず、かつ前記上りパケットで送信ステーションアドレスとして含まれた前記端末局のアドレスが前記優先端末管理テーブルに記憶されている場合、前記統合アクセス装置のアドレスが、前記端末局のアドレスに関連づけられて前記優先端末管理テーブルに記憶されるステップと、
前記基地局によって、前記端末局から優先制御の識別子が設定された優先対象のパケットが受信されると、前記優先管理テーブルの前記端末局のアドレス及び前記統合アクセス装置のアドレスに対応づけられた基地局優先制御フラグがオンに設定されるステップと、
前記基地局によって、前記端末局から優先制御の識別子が設定された優先対象の上りパケットが最後に受信されてからの無通信時間がカウントされ、前記無通信時間が所定時間経過すると、前記優先端末管理テーブルの前記端末局のアドレス及び前記統合アクセス装置のアドレスに対応づけられた前記基地局優先制御フラグがオフに設定されるステップ
とを備えることを特徴とするパケット優先制御通信方法。
【請求項６】
前記基地局によって、前記端末局を介して前記統合アクセス装置から上りパケットが最後に受信されてからの無通信時間がカウントされ、前記無通信時間が所定時間経過すると、前記優先端末管理テーブルの前記端末局のアドレスに対応づけられた前記統合アクセス装置のアドレスが削除されるステップ
を更に備えることを特徴とする請求項５に記載のパケット優先制御通信方法。
【請求項７】
前記統合アクセス装置によって、前記情報端末から通信先端末宛に送信された上りパケットが受信されるとともに、受信された前記上りパケットが優先対象のパケットである場合、識別子が設定された前記上りパケットが前記端末局に送信されるステップと、
前記端末局によって、前記統合アクセス装置から前記識別子が設定された優先対象の前記上りパケットが受信されると、前記端末局優先制御フラグがオンに設定されている場合、前記識別子が設定された優先対象の上りパケットが前記端末局の優先キューデータに入力されるとともに、前記端末局の通常キューデータに入力された上りパケットより優先的に、前記端末局の前記優先キューデータに入力された上りパケットが前記基地局に送信されるステップと、
前記基地局によって、前記端末局から前記識別子が設定された優先対象の上りパケットが入力されると、前記無通信時間がリセットされ、前記識別子が設定された優先対象の上りパケットが前記通信中継装置に送信されるステップ
を更に備えることを特徴とする請求項５又は６に記載のパケット優先制御通信方法。
【請求項８】
前記通信中継装置に送信されるステップは、
前記基地局によって、前記端末局から前記識別子が設定された優先対象の上りパケットが入力されると、前記無通信時間がリセットされ、前記識別子が設定された優先対象の上りパケットから前記識別子が削除された上りパケットが前記通信中継装置に送信される
ことを特徴とする請求項７に記載のパケット優先制御通信方法。
【請求項９】
前記基地局によって、前記通信中継装置から前記情報端末宛の下りパケットが受信されると、前記下りパケットが優先対象のパケットであって、前記優先端末管理テーブルに前記下りパケットの受信ステーションアドレスである前記端末局のアドレスに対応して前記下りパケットの宛先アドレスである前記統合アクセス装置のアドレスが記憶され、更に前記端末局のアドレス及び前記統合アクセス装置のアドレスに対応づけられた基地局優先制御フラグがオンに設定されている場合、前記下りパケットが前記基地局の優先キューデータに入力されるとともに、前記基地局の通常キューデータに入力された下りパケットより優先的に、前記基地局の優先キューデータに入力された前記下りパケットが前記端末局に送信されるステップ
を更に備えることを特徴とする請求項５乃至８のいずれか１項に記載のパケット優先制御通信方法。
【請求項１０】
通信中継装置と、基地局と、端末局と、統合アクセス装置と、前記統合アクセス装置に接続されユーザによるネットワークデータの送受信を可能にする情報端末とを備え、前記基地局と前記端末局との間が低速ネットワークで接続され、前記通信中継装置と前記基地局、及び前記端末局と前記統合アクセス装置は前記低速ネットワークより高速なネットワークで接続される通信システムにおいて、前記低速ネットワークで送受信される所定のパケットを優先制御する基地局であって、
前記端末局からパケットを受信する基地局上り無線受信制御手段と、
前記基地局上り無線受信制御手段によって、前記端末局と前記基地局とでアソシエーションが接続されている時に前記端末局のアドレスおよび優先設定情報が含まれたパケットを受信、又は、前記端末局と前記基地局とで既に接続されたアソシエーションを切断して新たなアソシエーションを接続する時に前記端末局のアドレスおよび前記優先設定情報が含まれたアソシエーション接続メッセージが受信されると、前記端末局のアドレスを優先端末管理テーブルに記憶し、前記基地局上り無線受信制御手段によって受信された前記パケットが優先制御の識別子が設定された優先対象のパケットであると、前記優先管理テーブルの前記端末局のアドレスに対応づけられた基地局優先制御フラグをオンに設定し、前記端末局から優先制御の識別子が設定された優先対象の上りパケットが最後に受信されてからの無通信時間をカウントし、前記無通信時間が所定時間経過すると、前記優先端末管理テーブルの前記端末局のアドレスに対応づけられた前記基地局優先制御フラグをオフに設定する基地局上り無線識別処理御手段
を備えることを特徴とする基地局。
【請求項１１】
前記基地局上り無線識別処理手段は、前記端末局から前記識別子が設定された優先対象の上りパケットを受信すると、前記無通信時間をリセットするとともに、前記識別子が設定された優先対象の上りパケットを、前記通信中継装置に送信する
ことを特徴とする請求項１０記載の基地局。
【請求項１２】
前記基地局上り無線識別処理手段は更に、前記識別子が設定された優先対象の上りパケットが入力されると、前記識別子が設定された優先対象の上りパケットから前記識別子が削除された上りパケットを、前記通信中継装置に送信する
ことを特徴とする請求項１１に記載の基地局。
【請求項１３】
前記通信中継装置から前記情報端末宛の下りパケットを受信し、前記下りパケットが優先対象のパケットであって、前記優先端末管理テーブルに、前記下りパケットの受信ステーションアドレスである前記端末局のアドレスが記憶され、前記端末局のアドレスに対応づけられた基地局優先制御フラグがオンに設定されている場合、前記下りパケットを優先キューデータに入力する基地局下り無線識別処理手段と、
前記通常キューデータに入力された下りパケットより優先的に、前記優先キューデータに入力された前記下りパケットを前記端末局に送信する基地局下り無線送信制御手段
を更に備えることを特徴とする請求項１０乃至１２のいずれか１項に記載の基地局。
【請求項１４】
前記通信中継装置から前記情報端末の下りパケットを受信し、前記低速ネットワークの輻輳時であって、かつ前記下りパケットが優先対象のパケットでない場合、受信した前記下りパケットを廃棄する基地局下り有線識別処理手段を更に備え、
前記基地局下り無線識別処理手段に、前記基地局下り有線識別処理手段によって廃棄されなかったパケットが入力される
ことを特徴とする請求項１０乃至１３のいずれか１項に記載の基地局。
【請求項１５】
通信中継装置と、基地局と、端末局と、統合アクセス装置と、前記統合アクセス装置に接続されユーザによるネットワークデータの送受信を可能にする情報端末とを備え、前記基地局と前記端末局との間が低速ネットワークで接続され、前記通信中継装置と前記基地局、及び前記端末局と前記統合アクセス装置は前記低速ネットワークより高速なネットワークで接続される通信システムにおいて、前記低速ネットワークで送受信される所定のパケットを優先制御する基地局であって、
前記端末局からパケットを受信する基地局上り無線受信制御手段と、
前記基地局上り無線受信制御手段によって、前記端末局と前記基地局とでアソシエーションが接続されている時に前記端末局のアドレスおよび優先設定情報が含まれたパケットが受信、又は、前記端末局と前記基地局とで既に接続されたアソシエーションを切断して新たなアソシエーションを接続する時に前記端末局のアドレスおよび前記優先設定情報が含まれたアソシエーション接続メッセージが受信されると、前記端末局のアドレスを優先端末管理テーブルに記憶し、前記基地局上り無線受信制御手段によって受信された前記パケットの送信元アドレスとして含まれた前記統合アクセス装置のアドレスが、前記優先端末管理テーブルに記憶されておらず、かつ前記上りパケットで送信ステーションアドレスとして含まれた前記端末局のアドレスが前記優先端末管理テーブルに記憶されている場合、前記統合アクセス装置のアドレスを、前記端末局のアドレスに関連づけて前記優先端末管理テーブルに記憶し、前記基地局上り無線受信制御手段によって受信された前記パケットが優先制御の識別子が設定された優先対象のパケットであると、前記優先管理テーブルの前記端末局のアドレス及び前記統合アクセス装置のアドレスに対応づけられた基地局優先制御フラグをオンに設定し、前記端末局から優先制御の識別子が設定された優先対象の上りパケットが最後に受信されてからの無通信時間をカウントし、前記無通信時間が所定時間経過すると、前記優先端末管理テーブルから前記端末局のアドレス及び前記統合アクセス装置に対応づけられた前記基地局優先制御フラグをオフに設定する基地局上り無線識別処理御手段
を備えることを特徴とする基地局。
【請求項１６】
前記基地局上り無線識別処理手段は、前記端末局を介して前記統合アクセス装置から上りパケットが最後に受信されてからの無通信時間をカウントし、前記無通信時間が所定時間経過すると、前記優先端末管理テーブルの前記端末局のアドレスに対応づけられた前記統合アクセス装置のアドレスを削除する
ことを特徴とする請求項１５に記載の基地局。
【請求項１７】
前記基地局上り無線識別処理手段は、前記端末局から前記識別子が設定された優先対象の上りパケットを受信すると、前記無通信時間をリセットするとともに、前記識別子が設定された優先対象の上りパケットを、前記通信中継装置に送信する
ことを特徴とする請求項１５又は１６に記載の基地局。
【請求項１８】
前記基地局上り無線識別処理手段は更に、前記識別子が設定された優先対象の上りパケットが入力されると、前記識別子が設定された優先対象の上りパケットから前記識別子が削除された上りパケットを、前記通信中継装置に送信する
ことを特徴とする請求項１７に記載の基地局。
【請求項１９】
前記通信中継装置から前記情報端末宛の下りパケットを受信し、前記下りパケットが優先対象のパケットであって、前記優先端末管理テーブルに前記下りパケットの受信ステーションアドレスである前記端末局のアドレスに対応して前記下りパケットの宛先アドレスである前記統合アクセス装置のアドレスが記憶され、更に前記端末局のアドレス及び前記統合アクセス装置のアドレスに対応づけられた基地局優先制御フラグがオンに設定されている場合、前記下りパケットを優先キューデータに入力する基地局下り無線識別処理手段と、
前記通常キューデータに入力された下りパケットより優先的に、前記優先キューデータに入力された前記下りパケットを前記端末局に送信する基地局下り無線送信制御手段
を更に備えることを特徴とする請求項１５乃至１８のいずれか１項に記載の基地局。
【請求項２０】
前記通信中継装置から前記情報端末の下りパケットを受信し、前記低速ネットワークの輻輳時であって、かつ前記下りパケットが優先対象のパケットでない場合、受信した前記下りパケットを廃棄する基地局下り有線識別処理手段を更に備え、
前記基地局下り無線識別処理手段に、前記基地局下り有線識別処理手段によって廃棄されなかったパケットが入力される
ことを特徴とする請求項１５乃至１９のいずれか１項に記載の基地局。
【請求項２１】
通信中継装置と、基地局と、端末局と、統合アクセス装置と、前記統合アクセス装置に接続されユーザによるネットワークデータの送受信を可能にする情報端末とを備え、前記基地局と前記端末局との間が低速ネットワークで接続され、前記通信中継装置と前記基地局、及び前記端末局と前記統合アクセス装置は前記低速ネットワークより高速なネットワークで接続される通信システムにおいて、前記低速ネットワークで送受信される所定のパケットを優先制御する端末局であって、
優先制御起動メッセージを受信すると、端末局優先制御フラグをオンに設定するとともに、前記端末局と前記基地局とでアソシエーションが接続されている時に前記端末局のアドレスおよび優先設定情報が含まれたパケットを送信、又は、前記端末局と前記基地局とで既に接続されたアソシエーションを切断して新たなアソシエーションを接続する時に前記端末局のアドレスおよび前記優先設定情報が含まれたアソシエーション接続メッセージを送信することにより、前記端末局に送信されるパケットの優先制御を前記基地局に開始させ、前記優先制御起動メッセージ以外のパケットを受信すると、受信したパケットの宛先アドレス宛に前記パケットを送信する端末局下り無線受信制御手段
を備えることを特徴とする端末局。
【請求項２２】
前記統合アクセス装置から前記識別子が設定された優先対象の上りパケットを受信すると、前記端末局優先制御フラグがオンに設定されている場合、前記識別子が設定された優先対象の上りパケットを優先キューデータに入力する端末局上り無線識別処理手段と、
前記統合アクセス装置から前記識別子が設定された優先対象の上りパケットが受信されると、前記通常キューデータに入力された上りパケットより優先的に、前記優先キューデータに入力された前記上りパケットを前記基地局に送信する端末局上り無線送信制御手段
を更に備えることを特徴とする請求項２１に記載の端末局。
【発明の詳細な説明】
【技術分野】
【０００１】
本発明は、通信中継装置と、基地局と、端末局と、統合アクセス装置と、統合アクセス装置に接続されユーザによるネットワークデータの送受信を可能にする情報端末とを備え、基地局と端末局との間が低速ネットワークで接続され、通信中継装置と基地局、及び端末局と統合アクセス装置は低速ネットワークより高速なネットワークで接続される通信システムにおいて、低速ネットワークで送受信される所定のパケットを優先制御するパケット優先制御通信方法、パケット優先制御通信方法に用いられる基地局及び端末局に関する。
【背景技術】
【０００２】
近年の通信ネットワークの発達に伴い、従来は回線交換方式で行われていた電話通話に代わって、ＶｏＩＰ（Voice over Internet Protocol）技術を用いてＩＰネットワークにおけるパケット交換方式で行われる通信方法が普及しつつある。この通信方法では、パケット交換方式でデータが送受信されるため、パケットの到着遅延や未達による音声品質の劣化が発生する場合がある。これに対応するために、インターネットサービスプロバイダ（ＩＳＰ：Internet Services Provider）によって、優先制御機能が提供されている場合がある。この優先制御機能は、ＶｏＩＰに基づく音声パケットのＴＯＳ（Type of Service ）ビットに、優先制御に関する識別子を付与し、その識別子が判断されることにより優先パケットか否かが判断される。
【０００３】
具体的には、例えば図１に示すような通信システム１２に用いられる。電話機４と電話機７とが通話する場合、統合アクセス装置３、無線端末局２、無線基地局１、第１の通信中継装置５、Ｌ３通信ネットワーク１１、第２の通信中継装置８、統合アクセス装置６を介して通信される。このとき、無線基地局１と第１の通信中継装置５を結ぶ通信ネットワークと、統合アクセス装置３と無線端末局２を結ぶ通信ネットワークと、第２の通信中継装置と統合アクセス装置６を結ぶ通信ネットワークは、例えば１００メガの通信帯域である。又、第１の通信中継装置５とＬ３通信ネットワーク１１と第２の通信中継装置８を結ぶ通信ネットワークは、例えば１ギガの通信帯域である。一方、無線基地局１と無線端末局２を結ぶ通信ネットワークは、無線通信プロトコルに従って通信されるため、例えば１０メガから数十メガの通信帯域である。従って、電話機４と電話機７とで音声通話を行う場合、無線端末局２と無線基地局１との間の通信ネットワークがボトルネックとなり、パケットの到着遅延や損失などによる音声品質の劣化が発生しやすくなる。
【０００４】
これに対応するべく、統合アクセス装置３において、電話機４から電話機７へ送信される音声信号をパケット化した音声パケットにＴＯＳビットを設定することができる。これにより、無線端末局２から無線基地局１への上り回線において優先制御され、音声品質を確保することができる。
【０００５】
一般的に、ＴＯＳビットを優先制御として、ヘッダーにＴＯＳ値を有するパケットを用いる通信における通信制御方法を用いる際に、上記ＴＯＳ値を、接続持続時間の経過に対応して高い値、即ち優先度を高める方向に変更することにより、輻輳発生時への新規な対処方法がある（特許文献１。）。この特許文献１に記載の方法は、ユーザ端末が、目的とする情報提供サーバーへの接続を行う前に、予め決められた事前接続サーバーへ接続し、この接続を継続してＴＯＳ値を高くしておき、目的とする情報提供サーバーへ接続を切替える場合には、ＴＯＳ値を保持したままで切替える。
【特許文献１】特開２００４−１５１５６号公報
【発明の開示】
【発明が解決しようとする課題】
【０００６】
しかし、ＴＯＳビットは通信中継装置共通の仕様ではないため、上りパケットで音声品質を確保できても、下りパケットで音声品質を確保できない場合がある。
【０００７】
詳述すると、統合アクセス装置３は、第１の通信中継装置５が提供するルールに従ってＴＯＳビットを付与し、第１の通信中継装置５までの上り回線の音声品質を確保できる。しかし、電話機７は、第２の通信中継装置８が提供するルールに従って優先制御してパケットを送信することが可能である。従って、第１の通信中継装置５は、電話機７から第２の通信中継装置８を介して音声パケットを受信したとしても、そのパケットが優先制御の対象となるパケットであるか否かが判別できないため、適切な優先制御がなされない。これにより、電話機４では、電話機７からの音声が途切れたり、ノイズが入ってしまう音声劣化が発生する場合がある。
【０００８】
この様に、従来の方法では、統合アクセス装置３から統合アクセス装置６への上りパケットでは音声品質が確保できていても、統合アクセス装置６から統合アクセス装置３への下りパケットでは音声品質が確保できない場合があった。
【０００９】
これに伴い、上り及び下り通信において優先制御を利用し、双方向で音声品質を確保する方法が求められていた。
【００１０】
従って、本発明は、優先制御を利用し双方向で音声品質を確保するパケット優先制御通信方法、パケット優先制御通信方法に用いられる基地局及び端末局を提供することである。
【課題を解決するための手段】
【００１１】
上記課題を解決するために本発明の第１の特徴は、通信中継装置と、基地局と、端末局と、統合アクセス装置と、統合アクセス装置に接続されユーザによるネットワークデータの送受信を可能にする情報端末とを備え、基地局と端末局との間が低速ネットワークで接続され、通信中継装置と基地局、及び端末局と統合アクセス装置は低速ネットワークより高速なネットワークで接続される通信システムにおいて、低速ネットワークで送受信される所定のパケットを優先制御するパケット優先制御通信方法に関する。即ち、本発明の第１の特徴に係る優先制御通信方法は、端末局によって、優先制御起動メッセージが受信されると、端末局優先制御フラグがオンに設定されるとともに、端末局と基地局とでアソシエーションが接続されている時に端末局のアドレスおよび優先設定情報が含まれたパケットが送信、又は、端末局と基地局とで既に接続されたアソシエーションを切断して新たなアソシエーションを接続する時に端末局のアドレスおよび優先設定情報が含まれたアソシエーション接続メッセージが送信されることにより、端末局に送信されるパケットの優先制御を基地局に開始させるステップと、基地局によって、端末局のアドレス及び優先設定情報が受信されると、端末局のアドレスが優先端末管理テーブルに記憶されるステップと、基地局によって、端末局から優先制御の識別子が設定された優先対象の上りパケットが受信されると、優先管理テーブルの端末局のアドレスに対応づけられた基地局優先制御フラグがオンに設定されるステップと、基地局によって、端末局から優先制御の識別子が設定された優先対象の上りパケットが最後に受信されてからの無通信時間がカウントされ、無通信時間が所定時間経過すると、優先端末管理テーブルの端末局のアドレスに対応づけられた基地局優先制御フラグがオフに設定されるステップを備える。
【００１２】
この様な本発明によれば、低速ネットワークの上位に位置する無線基地局で優先制御対象となる無線端末局の情報が優先端末管理テーブルに登録され、低速ネットワークの下位に位置し、優先制御対象となる無線端末局で、優先制御フラグが設定されるので、低速ネットワークにおいて、優先制御対象のパケットを通常パケットより優先的に送受信することができる。
【００１３】
統合アクセス装置によって、情報端末から通信先端末宛に送信された上りパケットが受信されるとともに、受信された上りパケットが優先対象のパケットである場合、識別子が設定された優先対象の上りパケットが端末局に送信されるステップと、端末局によって、統合アクセス装置から識別子が設定された優先対象の上りパケットが受信されると、端末局優先制御フラグがオンに設定されている場合、識別子が設定された優先対象の上りパケットが端末局の優先キューデータに入力されるとともに、端末局の通常キューデータに入力された上りパケットより優先的に、端末局の優先キューデータに入力された上りパケットが基地局に送信されるステップと、基地局によって、端末局から識別子が設定された優先対象の上りパケットが入力されると、無通信時間がリセットされ、識別子が設定された優先対象の上りパケットが通信中継装置に送信されるステップを更に備えても良い。このとき、基地局によって、端末局から識別子が設定された優先対象の上りパケットが入力されると、無通信時間がリセットされ、識別子が設定された優先対象の上りパケットから識別子が削除された上りパケットが通信中継装置に送信することができる。
【００１４】
基地局によって、通信中継装置から情報端末宛の下りパケットが受信されると、下りパケットが優先対象のパケットであって、優先端末管理テーブルに下りパケットの受信ステーションアドレスである端末局のアドレスが記憶され、更に端末局のアドレスに対応づけられた基地局優先制御フラグがオンに設定されている場合、下りパケットが基地局の優先キューデータに入力されるとともに、基地局の通常キューデータに入力された下りパケットより優先的に、基地局の優先キューデータに入力された下りパケットが端末局に送信されるステップを更に備えても良い。これによれば、無線基地局から統合アクセス装置に向けての下り回線において、優先制御対象となるパケットを優先して送信することができる。
【００１５】
本発明の第２の特徴は、通信中継装置と、基地局と、端末局と、統合アクセス装置と、統合アクセス装置に接続されユーザによるネットワークデータの送受信を可能にする情報端末とを備え、基地局と端末局との間が低速ネットワークで接続され、通信中継装置と基地局、及び端末局と統合アクセス装置は低速ネットワークより高速なネットワークで接続される通信システムにおいて、低速ネットワークで送受信される所定のパケットを優先制御するパケット優先制御通信方法に関する。即ち、本発明の第２の特徴に係るパケット優先制御通信方法は、端末局によって、優先制御起動メッセージが受信されると、端末局優先制御フラグがオンに設定されるとともに、端末局と基地局とでアソシエーションが接続されている時に端末局のアドレスおよび優先設定情報が含まれたパケットが送信、又は、端末局と基地局とで既に接続されたアソシエーションを切断して新たなアソシエーションを接続する時に端末局のアドレスおよび優先設定情報が含まれたアソシエーション接続メッセージが送信されることにより、端末局に送信されるパケットの優先制御を基地局に開始させるステップと、基地局によって、端末局のアドレス及び優先設定情報が受信されると、端末局のアドレスが優先端末管理テーブルに記憶されるステップと、基地局によって、端末局から上りパケットが受信されると、上りパケットで送信元アドレスとして含まれた統合アクセス装置のアドレスが、優先端末管理テーブルに記憶されておらず、かつ上りパケットで送信ステーションアドレスとして含まれた端末局のアドレスが優先端末管理テーブルに記憶されている場合、統合アクセス装置のアドレスが、端末局のアドレスに関連づけられて優先端末管理テーブルに記憶されるステップと、基地局によって、端末局から優先制御の識別子が設定された優先対象のパケットが受信されると、優先管理テーブルの端末局のアドレス及び統合アクセス装置のアドレスに対応づけられた基地局優先制御フラグがオンに設定されるステップと、基地局によって、端末局から優先制御の識別子が設定された優先対象の上りパケットが最後に受信されてからの無通信時間がカウントされ、無通信時間が所定時間経過すると、優先端末管理テーブルの端末局のアドレス及び統合アクセス装置のアドレスに対応づけられた基地局優先制御フラグがオフに設定されるステップを備える。
【００１６】
この様な本発明によれば、統合アクセス装置の単位で優先制御対象を管理することができる。
【００１７】
このとき、基地局によって、端末局を介して統合アクセス装置から上りパケットが最後に受信されてからの無通信時間がカウントされ、無通信時間が所定時間経過すると、優先端末管理テーブルの端末局のアドレスに対応づけられた統合アクセス装置のアドレスが削除されるステップを更に備えても良い。これにより、優先端末管理テーブルのリソースを有効に利用することができる。
【００１８】
更に、統合アクセス装置によって、情報端末から通信先端末宛に送信された上りパケットが受信されるとともに、受信された上りパケットが優先対象のパケットである場合、識別子が設定された上りパケットが端末局に送信されるステップと、端末局によって、統合アクセス装置から識別子が設定された優先対象の上りパケットが受信されると、端末局優先制御フラグがオンに設定されている場合、識別子が設定された優先対象の上りパケットが端末局の優先キューデータに入力されるとともに、端末局の通常キューデータに入力された上りパケットより優先的に、端末局の優先キューデータに入力された上りパケットが基地局に送信されるステップと、基地局によって、端末局から識別子が設定された優先対象の上りパケットが入力されると、無通信時間がリセットされ、識別子が設定された優先対象の上りパケットが通信中継装置に送信されるステップを更に備えても良い。ここで、基地局によって、端末局から識別子が設定された優先対象の上りパケットが入力されると、無通信時間がリセットされ、識別子が設定された優先対象の上りパケットから識別子が削除された上りパケットが通信中継装置に送信されることが好ましい。これによれば、統合アクセス装置から無線基地局に向けての上り回線において、優先制御対象となるパケットを優先して送信することができる。
【００１９】
基地局によって、通信中継装置から情報端末宛の下りパケットが受信されると、下りパケットが優先対象のパケットであって、優先端末管理テーブルに下りパケットの受信ステーションアドレスである端末局のアドレスに対応して下りパケットの宛先アドレスである統合アクセス装置のアドレスが記憶され、更に端末局のアドレス及び統合アクセス装置のアドレスに対応づけられた基地局優先制御フラグがオンに設定されている場合、下りパケットが基地局の優先キューデータに入力されるとともに、基地局の通常キューデータに入力された下りパケットより優先的に、基地局の優先キューデータに入力された下りパケットが端末局に送信されるステップを更に備えても良い。これによれば、無線基地局から統合アクセス装置に向けての下り回線において、優先制御対象となるパケットを優先して送信することができる。
【００２０】
本発明の第３の特徴は、通信中継装置と、基地局と、端末局と、統合アクセス装置と、統合アクセス装置に接続されユーザによるネットワークデータの送受信を可能にする情報端末とを備え、基地局と端末局との間が低速ネットワークで接続され、通信中継装置と基地局、及び端末局と統合アクセス装置は低速ネットワークより高速なネットワークで接続される通信システムにおいて、低速ネットワークで送受信される所定のパケットを優先制御する基地局に関する。即ち、本発明の第３の特徴に係る基地局は、端末局からパケットを受信する基地局上り無線受信制御手段と、基地局上り無線受信制御手段によって、端末局と基地局とでアソシエーションが接続されている時に端末局のアドレスおよび優先設定情報が含まれたパケットを受信、又は、端末局と基地局とで既に接続されたアソシエーションを切断して新たなアソシエーションを接続する時に端末局のアドレスおよび優先設定情報が含まれたアソシエーション接続メッセージが受信されると、端末局のアドレスを優先端末管理テーブルに記憶し、基地局上り無線受信制御手段によって受信されたパケットが優先制御の識別子が設定された優先対象のパケットであると、優先端末管理テーブルの端末局のアドレスに対応づけられた基地局優先制御フラグをオンに設定し、端末局から優先制御の識別子が設定された優先対象の上りパケットが最後に受信されてからの無通信時間をカウントし、無通信時間が所定時間経過すると、優先端末管理テーブルの端末局のアドレスに対応づけられた基地局優先制御フラグをオフに設定する基地局上り無線識別処理御手段を備える。
【００２１】
ここで、基地局上り無線識別処理手段は、端末局から識別子が設定された優先対象の上りパケットを受信すると、無通信時間をリセットするとともに、識別子が設定された優先対象の上りパケットを、通信中継装置に送信しても良い。ここで、基地局上り無線識別処理手段は更に、識別子が設定された優先対象の上りパケットが入力されると、識別子が設定された優先対象の上りパケットから識別子が削除された上りパケットを、通信中継装置に送信しても良い。
【００２２】
又、通信中継装置から情報端末宛の下りパケットを受信し、下りパケットが優先対象のパケットであって、優先端末管理テーブルに、下りパケットの受信ステーションアドレスである端末局のアドレスが記憶され、端末局のアドレスに対応づけられた基地局優先制御フラグがオンに設定されている場合、下りパケットを優先キューデータに入力する基地局下り無線識別処理手段と、通常キューデータに入力された下りパケットより優先的に、優先キューデータに入力された下りパケットを端末局に送信する基地局下り無線送信制御手段を更に備えることが好ましい。
【００２３】
更に、通信中継装置から情報端末の下りパケットを受信し、低速ネットワークの輻輳時であって、かつ下りパケットが優先対象のパケットでない場合、受信した下りパケットを廃棄する基地局下り有線識別処理手段を更に備え、基地局下り無線識別処理手段に、基地局下り有線識別処理手段によって廃棄されなかったパケットが入力されることが好ましい。
【００２４】
本発明の第４の特徴は、通信中継装置と、基地局と、端末局と、統合アクセス装置と、統合アクセス装置に接続されユーザによるネットワークデータの送受信を可能にする情報端末とを備え、基地局と端末局との間が低速ネットワークで接続され、通信中継装置と基地局、及び端末局と統合アクセス装置は低速ネットワークより高速なネットワークで接続される通信システムにおいて、低速ネットワークで送受信される所定のパケットを優先制御する基地局に関する。即ち、本発明の第４の特徴に係る基地局は、端末局からパケットを受信する基地局上り無線受信制御手段と、基地局上り無線受信制御手段によって、端末局と基地局とでアソシエーションが接続されている時に端末局のアドレスおよび優先設定情報が含まれたパケットが受信、又は、端末局と基地局とで既に接続されたアソシエーションを切断して新たなアソシエーションを接続する時に端末局のアドレスおよび優先設定情報が含まれたアソシエーション接続メッセージが受信されると、端末局のアドレスを優先端末管理テーブルに記憶し、基地局上り無線受信制御手段によって受信されたパケットの送信元アドレスとして含まれた統合アクセス装置のアドレスが、優先端末管理テーブルに記憶されておらず、かつ上りパケットで送信ステーションアドレスとして含まれた端末局のアドレスが優先端末管理テーブルに記憶されている場合、統合アクセス装置のアドレスを、端末局のアドレスに関連づけて優先端末管理テーブルに記憶し、基地局上り無線受信制御手段によって受信されたパケットが優先制御の識別子が設定された優先対象のパケットであると、優先管理テーブルの端末局のアドレス及び統合アクセス装置のアドレスに対応づけられた基地局優先制御フラグをオンに設定し、端末局から優先制御の識別子が設定された優先対象の上りパケットが最後に受信されてからの無通信時間をカウントし、無通信時間が所定時間経過すると、優先端末管理テーブルから端末局のアドレス及び統合アクセス装置に対応づけられた基地局優先制御フラグをオフに設定する基地局上り無線識別処理御手段を備える。
【００２５】
ここで、基地局上り無線識別処理手段は、端末局を介して統合アクセス装置から上りパケットが最後に受信されてからの無通信時間をカウントし、無通信時間が所定時間経過すると、優先端末管理テーブルの端末局のアドレスに対応づけられた統合アクセス装置のアドレスを削除することが好ましい。
【００２６】
又、基地局上り無線識別処理手段は、端末局から識別子が設定された優先対象の上りパケットを受信すると、無通信時間をリセットするとともに、識別子が設定された優先対象の上りパケットを、通信中継装置に送信することが好ましい。ここで、基地局上り無線識別処理手段は更に、識別子が設定された優先対象の上りパケットが入力されると、識別子が設定された優先対象の上りパケットから識別子が削除された上りパケットを、通信中継装置に送信することが好ましい。
【００２７】
更に、通信中継装置から情報端末宛の下りパケットを受信し、下りパケットが優先対象のパケットであって、優先端末管理テーブルに下りパケットの受信ステーションアドレスである端末局のアドレスに対応して下りパケットの宛先アドレスである統合アクセス装置のアドレスが記憶され、更に端末局のアドレス及び統合アクセス装置のアドレスに対応づけられた基地局優先制御フラグがオンに設定されている場合、下りパケットを優先キューデータに入力する基地局下り無線識別処理手段と、通常キューデータに入力された下りパケットより優先的に、優先キューデータに入力された下りパケットを端末局に送信する基地局下り無線送信制御手段を更に備えることが好ましい。
【００２８】
ここで、通信中継装置から情報端末の下りパケットを受信し、低速ネットワークの輻輳時であって、かつ下りパケットが優先対象のパケットでない場合、受信した下りパケットを廃棄する基地局下り有線識別処理手段を更に備え  基地局下り無線識別処理手段に、基地局下り有線識別処理手段によって廃棄されなかったパケットが入力されることが好ましい。
【００２９】
本発明の第５の特徴は、通信中継装置と、基地局と、端末局と、統合アクセス装置と、統合アクセス装置に接続されユーザによるネットワークデータの送受信を可能にする情報端末とを備え、基地局と端末局との間が低速ネットワークで接続され、通信中継装置と基地局、及び端末局と統合アクセス装置は低速ネットワークより高速なネットワークで接続される通信システムにおいて、低速ネットワークで送受信される所定のパケットを優先制御する端末局に関する。即ち、本発明の第５の特徴に係る端末局は、優先制御起動メッセージを受信すると、端末局優先制御フラグをオンに設定するとともに、端末局と基地局とでアソシエーションが接続されている時に端末局のアドレスおよび優先設定情報が含まれたパケットを送信、又は、端末局と基地局とで既に接続されたアソシエーションを切断して新たなアソシエーションを接続する時に端末局のアドレスおよび優先設定情報が含まれたアソシエーション接続メッセージを送信することにより、端末局に送信されるパケットの優先制御を基地局に開始させ、優先制御起動メッセージ以外のパケットを受信すると、受信したパケットの宛先アドレス宛にパケットを送信する端末局下り無線受信制御手段を備える。
【００３０】
ここで、統合アクセス装置から識別子が設定された優先対象の上りパケットを受信すると、端末局優先制御フラグがオンに設定されている場合、識別子が設定された優先対象の上りパケットを優先キューデータに入力する端末局上り無線識別処理手段と、統合アクセス装置から識別子が設定された優先対象の上りパケットが受信されると、通常キューデータに入力された上りパケットより優先的に、優先キューデータに入力された上りパケットを基地局に送信する端末局上り無線送信制御手段を更に備えることが好ましい。
【発明の効果】
【００３１】
本発明によれば、優先制御を利用し双方向で音声品質を確保するパケット優先制御通信方法、パケット優先制御通信方法に用いられる基地局及び端末局を提供することができる。
【発明を実施するための最良の形態】
【００３２】
次に、図面を参照して、本発明の実施の形態を説明する。以下の図面の記載において、同一又は類似の部分には同一又は類似の符号を付している。
【００３３】
（最良の実施の形態）
本発明の最良の実施の形態に係る通信システム１２は、無線基地局１、無線端末局２、統合アクセス装置３及び６、電話機４及び７、通信中継装置５及び８、ＮＭＳ（Network Management Systems）を備えている。本発明の最良の実施の形態に係る通信システムは、リアルタイムで通信されるＶｏＩＰ技術を用いたパケットを優先制御する場合について説明する。
【００３４】
無線基地局１と第１の通信中継装置５を結ぶ通信ネットワークと、統合アクセス装置３と無線端末局２を結ぶ通信ネットワークと、第２の通信中継装置と統合アクセス装置６を結ぶ通信ネットワークは、例えば１００メガの通信帯域である。又、第１の通信中継装置５とＬ３通信ネットワーク１１と第２の通信中継装置８とＮＭＳ９を結ぶ通信ネットワークは、例えば１ギガの通信帯域である。
【００３５】
第１の通信中継装置５は、第１の通信中継装置５に接続される情報端末に、Ｌ３通信ネットワーク１１との通信を提供するシステムである。具体的には、ＢＡＳ（Broadband Access Server）やルータなどが、第１の通信中継装置５に相当する。第２の通信中継装置８も、第１の通信中継装置と同様の機能を提供する。
【００３６】
無線基地局１は、第１の通信中継装置５と通信可能な通信セルを提供している装置である。無線端末局２は、無線基地局１によって提供された通信セル内に位置する場合、無線基地局１と無線で通信可能な装置である。無線基地局１と無線端末局２は、無線通信ネットワーク１０によって接続されている。無線基地局１と無線端末局２を結ぶ無線通信ネットワーク１０は、無線通信プロトコルに従って通信され、例えば１０メガから数十メガの通信帯域である。
【００３７】
統合アクセス装置（ｉＡＤ：Integrated Access Device）３は、ターミナルアダプタなどの通信装置であって、ここでは、電話機４からの音声をＩＰパケット化して伝送する装置である。統合アクセス装置６も統合アクセス装置３と同様である。
【００３８】
電話機４は、Ｌ３通信ネットワーク１１と通信可能な情報端末の１種であって、ユーザの操作などによってＬ３通信ネットワーク１１に情報を送信したり、Ｌ３通信ネットワーク１１から情報を受信する。電話機４は、電話機に限らず、一般的なコンピュータにスピーカ、マイクなどを備え、ＶｏＩＰによって通信可能に設定されても良い。ユーザが電話機４でＶｏＩＰ技術を利用して通話する場合、ユーザが電話機４の受話器を上げ、ダイヤルトーンを送信した後にダイヤルが開始されると、ＳＩＰプロキシサーバ（図示せず）に接続要求メッセージを送信する。ＳＩＰプロキシサーバは、ロケーションサーバ（図示せず）に通信相手である電話機７の統合アクセス装置６のＩＰアドレスを問合せ、電話機７に接続要求メッセージを送信する。この様に、電話機４は、ＳＩＰプロキシサーバによってセッションが確立され、電話機７と通信することができる。電話機７も同様である。
【００３９】
（パケット優先制御通信方法の概略）
本発明の最良の実施の形態に係るパケット優先制御通信方法は、図２及び図３に示すような無線通信ネットワーク１０などの低速ネットワークで送受信されるＶｏＩＰなどの所定のパケットを上り下りの双方向で優先制御する。
【００４０】
具体的には、まず、図２に示すようにステップＳ１０１において、ＮＭＳ９から無線端末局２へ、ＶｏＩＰ優先制御制御を起動させるＶｏＩＰ優先制御起動リクエストが送信される。このＶｏＩＰ優先制御起動リクエストは、無線端末局２に送信されるパケットの優先制御を無線基地局１に開始させるメッセージである。ＶｏＩＰ優先制御起動リクエストは、端末局と基地局とでアソシエーションが接続されている時に端末局のＭＡＣアドレスおよび優先設定情報が含まれたパケットにより送信されても良いし、又は、端末局と基地局とで既に接続されたアソシエーションを切断して新たなアソシエーションを接続する時に端末局のＭＡＣアドレスおよび優先設定情報が含まれたアソシエーション接続メッセージにより送信されても良い。これにより、無線端末局２と無線基地局１との間でＶｏＩＰパケットの優先制御が開始される。この処理は後に詳述する。
【００４１】
次に、図２を参照して電話機４から電話機７へ音声通話を開始する処理を説明する。ＶｏＩＰの優先制御が開始されると、ステップＳ１０２において、ＶｏＩＰ優先設定情報が送信される。このＶｏＩＰ優先設定情報は、無線端末局２と無線基地局１とでアソシエーションが接続されている時に送信されても良いし、無線端末局２と無線基地局１とで既に接続されたアソシエーションを切断して新たなアソシエーションを接続する時に送信されても良い。ステップＳ１０３において、ユーザの操作により、電話機４からアナログの音声信号が統合アクセス装置３に発信される。統合アクセス装置３によってアナログの音声信号が受信されると、ステップＳ１０４において、アナログの音声信号からデジタル化された音声パケットが生成され、更に音声パケットのＴＯＳビットの識別子（優先制御の識別子）が設定された識別子付音声パケットが生成される。ステップＳ１０５において、統合アクセス装置３によって、識別子付音声パケットが無線端末局２に送信される。
【００４２】
識別子付音声パケットが無線端末局２に送信されると、無線端末局２によって、ステップＳ１０６において、上りの無線区間における通信が、他の通常のパケットに比べて優先制御され、ステップＳ１０７において、無線基地局１へ識別子付音声パケットが送信される。
【００４３】
無線基地局１によって識別子付音声パケットが受信されると、ステップＳ１０８において、識別子付音声パケットから識別子が削除され（或いは優先制御の識別子が初期化され）、ステップＳ１０９において、識別子が削除された音声パケットが通信中継装置５に送信される。通信中継装置５は、音声パケットの宛先ＩＰアドレスに基づいて音声パケットを送信する。このとき、無線基地局１において、無線端末局２からの識別子付音声パケットが最後に受信されてからの無通信時間がカウントされる。この無通信時間が所定時間経過すると、無線基地局１から無線端末局２へ送信される音声パケットは、優先制御されることなく送信される。また、ステップＳ１０８において、識別子は必ずしも削除されなくとも良い。
【００４４】
ステップＳ１０９において、第１の通信中継装置５によって、音声パケットがＬ３通信ネットワーク１１を介して、統合アクセス装置６に送信される。
【００４５】
更に、図３を参照して電話機７から電話機４へ音声通話が発信される場合について説明する。ステップＳ１５１において、電話機４への音声パケットが、通信中継装置５によって無線基地局１に送信される。ステップＳ１５２において、下りの無線区間における通信が、他の通常のパケットに比べて優先制御され、ステップＳ１５３において、無線端末局２へ音声パケットが送信される。
【００４６】
無線端末局２によって音声パケットが受信されると、ステップＳ１５４において、受信された音声パケットが統合アクセス装置３に送信される。統合アクセス装置３によって音声パケットが受信されると、デジタルの音声パケットからアナログ化された音声信号を生成し、ステップＳ１５５において、アナログ化された音声信号が電話機４に送信される。
【００４７】
無線基地局１においてカウントされる無通信時間が所定時間経過すると、優先端末管理テーブル１１１の基地局優先制御フラグがオフとなり、ステップＳ１５６において、無線基地局１による下り回線の優先制御が停止される。  
（無線基地局）
次に、図４を参照して本発明の最良の実施の形態に係る無線基地局１を説明する。本発明の最良の実施の形態に係る無線基地局１は、無線端末局２との接続インタフェースとなる無線通信制御部１００と、無線基地局１の通信を制御するマルチプレクサ／ブリッジ１２０と、第１の通信中継装置５との接続インタフェースとなる有線通信制御部１４０を備えている。
【００４８】
無線通信制御部１００は、基地局上り無線受信制御手段１０１、基地局上り無線識別処理手段１０２、基地局下り無線識別処理手段１０３、基地局下り無線送信制御手段１０４、優先端末管理テーブル１１１、優先キューデータ１１２、通常キューデータ１１３を備えている。有線通信制御部１４０は、基地局下り有線識別処理手段１４１を備えている。基地局上り無線受信制御手段１０１、基地局上り無線識別処理手段１０２、基地局下り無線識別処理手段１０３、基地局下り無線送信制御手段１０４及び基地局下り有線識別処理手段は、所定の機能を実現するプログラムが無線基地局１において中央処理制御装置にロードされることにより実現されても良いし、所定の機能を実現する回路が無線基地局１に備えられることにより実現されても良い。優先端末管理テーブル１１１、優先キューデータ１１２、通常キューデータ１１３は、無線基地局１備えられた記憶装置に記憶される。
【００４９】
基地局上り無線受信制御手段１０１は、無線端末局２から８０２．１１ＭＡＣパケットＤ１０１を受信する。
【００５０】
基地局上り無線識別処理手段１０２は、基地局上り無線受信制御手段１０１によって受信されたパケットに基づいて、優先端末管理テーブル１１１を更新する。
【００５１】
優先端末管理テーブル１１１は、無線基地局１が優先制御する無線基地局２のＭＡＣアドレスが記憶された記憶装置である。優先端末管理テーブル１１１は、図５に示すように、ＶｏＩＰ優先端末のＭＡＣアドレス、具体的には無線端末局２のＭＡＣアドレス「Ｄ」と記憶され、更にＶｏＩＰ優先端末のＭＡＣアドレスに対応して基地局優先フラグが設けられている。優先端末管理テーブル１１１において、ＶｏＩＰ優先端末にＭＡＣアドレスが記憶され、そのＭＡＣアドレスに対応した基地局優先制御フラグがオンに設定されている場合、そのＭＡＣアドレスを有する無線端末局宛のパケットが優先制御される。図５に示す優先端末管理テーブル１１１は、優先対象として７０レコードの登録が可能で、最大７０個の優先対象の端末局が登録される。
【００５２】
基地局上り無線受信制御手段１０１によって受信されたパケットが、無線端末局のＭＡＣアドレス及び優先設定情報を含む場合、基地局上り無線識別処理手段１０２は、無線端末局２のＭＡＣアドレスを優先端末管理テーブル１１１に記憶する。この優先設定情報は、無線端末局２と無線基地局１とでアソシエーションが接続されている時に受信されても良いし、無線端末局２と無線基地局１とで既に接続されたアソシエーションを切断して新たなアソシエーションを接続する時に送信されるアソシエーション接続メッセージに含まれても良い。
【００５３】
このとき、基地局上り無線識別処理手段１０２は、優先端末管理テーブル１１１を参照して、新たな無線端末局のＭＡＣアドレスが登録されると、優先対象としての閾値（図５に示す例では７０）を越える場合、受信したパケットに含まれる新たな無線端末局のＭＡＣアドレスを登録しない。この様に優先端末管理テーブル１１１に登録されなかった無線端末局宛のパケットは、優先制御されることなく通常のパケットとして送受信される。
【００５４】
基地局上り無線識別処理手段１０２は、基地局上り無線受信制御手段１０１によって受信されたパケットが無線端末局２のＭＡＣアドレスが含まれ優先制御の識別子（ＴＯＳビット）が設定された優先対象（ＶｏＩＰ）のパケットである場合、無線端末局２のＭＡＣアドレスに対応した基地局優先制御フラグをオンに設定して優先端末管理テーブル１１１に記憶する。更に、基地局上り無線識別処理手段１０２は、基地局上り無線受信制御手段１０１から入力されたパケットを、優先通信制御部１４０を介して第１の通信中継装置５に送信する。ここで、受信されたパケットが優先対象のパケットであるか否かは、パケットを検証することにより判断される。具体的には、本発明の最良の実施の形態においては、優先対象のパケットはＶｏＩＰパケットであるので、更に８０２．１１ＭＡＣアドレス、ＩＰ、ＵＤＰ、ＲＴＰなどのヘッダー内の固定フィールドを確認することによるプロトコルスタックのチェック、ＲＴＰヘッダー内ＰＴフィールドに設定されているコーデック種別（Ｇ．７１１、Ｇ．７２９、Ｇ．７２９Ａ、Ｇ．７２９Ｂ）と、コーデック種別毎のＩＰペイロード長チェック、ＴＯＳフィールドチェックにより、ＶｏＩＰ技術のプロトコルであるか否かによって判断される。
【００５５】
基地局上り無線識別処理手段１０２は、無線端末局２から識別子が設定された優先対象の上りパケットが最後に受信されてからの無通信時間をカウントし、この無通信時間が所定時間経過すると、無線端末局２のＭＡＣアドレスに対応した基地局優先制御フラグをオフに設定する。
【００５６】
又、基地局上り無線識別処理手段１０２は、基地局上り無線受信制御手段１０１によって受信されたパケットが、無線端末局２のＭＡＣアドレスと優先設定停止情報を含む場合、優先端末管理テーブル１１１から、この無線端末局２のＭＡＣアドレスを削除する。
【００５７】
基地局下り無線識別処理手段１０３は、マルチプレクサ／ブリッジ１２０から第１の通信中継装置５から電話機４宛の下りパケットを受信し、下りパケットが優先対象のパケットであって、優先端末管理テーブル１１１に、下りパケットの受信ステーションアドレスである無線端末局２のＭＡＣアドレスが登録され、この無線端末局２のＭＡＣアドレスに対応する基地局優先制御フラグがオンに設定されている場合、下りパケットを無線基地局１の優先キューデータ１１２に入力する。ここで、受信したパケットが優先対象のパケットであることは、更に８０２．１１ＭＡＣアドレス、ＩＰ、ＵＤＰ、ＲＴＰなどのヘッダー内の固定フィールドを確認することによるプロトコルスタックのチェック、ＲＴＰヘッダー内ＰＴフィールドに設定されているコーデック種別（Ｇ．７１１、Ｇ．７２９、Ｇ．７２９Ａ、Ｇ．７２９Ｂ）と、コーデック種別毎のＩＰペイロード長チェックにより、ＶｏＩＰ技術のプロトコルであるか否かによって判断される。
【００５８】
基地局下り無線識別処理手段１０３は、入力された下りパケットが優先対象のパケットでない場合、入力されたパケットを通常キューデータ１１３に入力する。
【００５９】
基地局下り無線送信制御手段１０４は、無線基地局１の通常キューデータ１１３に入力された下りパケットより優先的に、無線基地局１の優先キューデータ１１２に入力された下りパケットを無線端末局２に送信する。
【００６０】
有線通信制御部１４０の基地局下り有線識別処理手段１４１は、第１の通信中継装置５から電話機４宛の８０２．３ＭＡＣ下りパケットＤ１０２を受信し、優先端末管理テーブル１１１において受信したパケットの受信ステーションである無線端末局２のＭＡＣアドレスが登録され、この無線端末局２のＭＡＣアドレスに対応する基地局優先制御フラグがオンに設定されており、かつ受信したパケットが優先制御対象となるパケットである場合、受信したパケットを優先制御対象として、基地局下り無線識別処理手段１０３に入力する。ここで、受信されたパケットが優先対象のパケットであるか否かは、パケットを検証することにより判断される。具体的には、本発明の最良の実施の形態においては、優先対象のパケットはＶｏＩＰパケットであるので、更に８０２．１１ＭＡＣアドレス、ＩＰ、ＵＤＰ、ＲＴＰなどのヘッダー内の固定フィールドを確認することによるプロトコルスタックのチェック、ＲＴＰヘッダー内ＰＴフィールドに設定されているコーデック種別（Ｇ．７１１、Ｇ．７２９、Ｇ．７２９Ａ、Ｇ．７２９Ｂ）と、コーデック種別毎のＩＰペイロード長チェック、ＴＯＳフィールドチェックにより、ＶｏＩＰ技術のプロトコルであるか否かによって判断される。
【００６１】
また、基地局下り有線識別処理手段１４１は、無線通信ネットワーク１０の輻輳時に、受信した下りパケットが優先対象のパケットでない場合、受信した下りパケットを廃棄する。これにより、基地局下り無線識別処理手段１０３に、基地局下り有線識別処理手段１４１によって廃棄されなかったパケットが入力される。また、無線通信ネットワーク１０の輻輳時でも、通常パケットが廃棄され優先対象のパケットのみが送受信されるので、優先対象のパケット品質が保持される。
【００６２】
（無線端末局）
次に、図６を参照して本発明の最良の実施の形態に係る無線端末局２を説明する。本発明の最良の実施の形態に係る無線端末局２は、無線基地局１との接続インタフェースとなる無線通信制御部２００と、無線端末局２の通信を制御するマルチプレクサ／ブリッジ２２０と、統合アクセス装置３との接続インタフェースとなる有線通信制御部２４０を備えている。
【００６３】
無線通信制御部２００は、端末局下り無線受信制御手段２０１、端末局上り無線識別処理手段２０２、端末局上り無線送信制御手段２０３、端末局優先制御フラグ２１１、優先キューデータ２１２、通常キューデータ２１３を備えている。端末局下り無線受信制御手段２０１、端末局上り無線識別処理手段２０２、端末局上り無線送信制御手段２０３は、所定の機能を実現するプログラムが無線端末局２において中央処理制御装置にロードされることにより実現される。端末局優先制御フラグ２１１、優先キューデータ２１２、通常キューデータ２１３は、無線端末局２に備えられた記憶装置に記憶される。
【００６４】
端末局下り無線受信制御手段２０１は、優先制御起動メッセージを受信すると、端末局優先制御フラグ２１１を「オン（ｔｒｕｅ）」設定する。更に端末局下り無線受信制御手段２０１は、無線端末局２に送信されるパケットの優先制御を無線基地局１に開始させる。具体的には、端末局下り無線受信制御手段２０１は、無線端末局２と無線基地局１とでアソシエーションが接続されている時に無線端末局２のＭＡＣアドレスおよび優先設定情報が含まれたパケットを送信することにより、又は、無線端末局２と無線基地局１とで既に接続されたアソシエーションを切断して新たなアソシエーションを接続する時に無線端末局２のＭＡＣアドレスおよび優先設定情報が含まれたアソシエーション接続メッセージを送信することにより、実現される。
【００６５】
ここで、端末局下り無線受信制御手段２０１は、優先制御起動メッセージ以外のパケットを受信すると、受信したパケットの宛先ＭＡＣアドレス宛にパケットを送信する。
【００６６】
端末局上り無線識別処理手段２０２は、８０２．１１ＭＡＣパケットＤ２０１を受信し、受信したパケットが統合アクセス装置３からＴＯＳビットが設定された優先対象となる上りパケットであって、端末局優先制御フラグ２１１がオンに設定されている場合、ＴＯＳビットが設定された優先対象の上りパケットを無線端末局２の優先キューデータ２１２に入力する。ここで、優先対象のパケットであることは、更に８０２．１１ＭＡＣアドレス、ＩＰ、ＵＤＰ、ＲＴＰなどのヘッダー内の固定フィールドを確認することによるプロトコルスタックのチェック、ＲＴＰヘッダー内ＰＴフィールドに設定されているコーデック種別（Ｇ．７１１、Ｇ．７２９、Ｇ．７２９Ａ、Ｇ．７２９Ｂ）と、コーデック種別毎のＩＰペイロード長チェック、ＴＯＳフィールドチェックにより、ＶｏＩＰ技術のプロトコルであるか否かによって判断される。
【００６７】
端末局上り無線識別処理手段２０２は、入力された上りパケットが優先対象のパケットでない場合、又は端末局優先制御フラグ２１１がオンに設定されていない場合、入力されたパケットを通常キューデータ２１３に入力する。
【００６８】
端末局上り無線送信制御手段２０３は、無線端末局２の通常キューデータ２１３に入力された上りパケットより優先的に、無線端末局２の優先キューデータ２１２に入力された上りパケットを無線基地局１に送信する。
【００６９】
（パケット優先制御通信方法）
次に、図７乃至図１０を参照して、本発明の最良の実施の形態に係るパケット優先制御通信方法を説明する。図７乃至図１０において、通信中継装置５の無線基地局１側のＭＡＣアドレスは、「Ａ」、無線基地局１の通信中継装置５側のＭＡＣアドレスは「Ｂ」、無線基地局１の無線端末局２側のＭＡＣアドレスは「Ｃ」、無線端末局２の無線基地局１側のＭＡＣアドレスは「Ｄ」、無線端末局２の統合アクセス装置３側のＭＡＣアドレスは「Ｅ」、統合アクセス装置３の無線端末局２側のＭＡＣアドレスは「Ｆ」であるとする。
【００７０】
まず、図７を参照して、ＶｏＩＰ付加サービス契約の開始する処理について説明する。
【００７１】
図７に示すようにステップＳ２０１において、ＮＭＳ９から無線端末局２へ、優先制御を起動させる優先制御起動リクエストが送信される。ステップＳ２０２において、無線端末局２の端末局優先制御フラグ２１１が「オン（ｔｒｕｅ）」に設定される。
【００７２】
これにより、無線端末局２では、例えばＶｏＩＰ付加サービス契約を開始することができる。このＶｏＩＰ付加サービスを開始する設定は、ユーザによって所定の無線端末局２の電源が入れられることにより運用開始とすることで、実行することが可能となる。この優先設定情報は、無線端末局２において、不揮発情報である端末局優先制御フラグ２１１として記憶装置に記憶される。
【００７３】
更に、ステップＳ２０３において、送信ステーションアドレスとして無線端末局２のＭＡＣアドレスと優先設定情報が無線基地局１に送信される。この優先設定情報は、この無線端末局２が無線基地局１とアソシエーション接続をしている際に送信されても良いし、既に接続されたアソシエーションを切断して再接続する際にアソシエーション接続リクエストメッセージに含まれて送信されても良い。
【００７４】
ステップＳ２０４において、無線基地局１において優先制御の識別子が設定された優先対象のパケットが受信されると、ステップＳ２０５において、無線端末局２のＭＡＣアドレスを優先端末として優先端末管理テーブル１１１に登録する。このとき、優先端末管理テーブル１１１において、無線端末局２のＭＡＣアドレスに対応した基地局優先制御フラグはオフ（初期化された状態）に設定されている。
【００７５】
次に、図８を参照して、電話機４からＶｏＩＰ上りパケットが送信される場合について説明する。
【００７６】
図８に示すように、ステップＳ２５１において、統合アクセス装置３から無線端末局２に上りパケット（８０２．３ＭＡＣ）が送信される。この上りパケットは、送信元アドレス（ＳＡ：Source Address）が「Ｆ」、宛先アドレス（ＤＡ：Destination Address）が「Ａ」のパケットである。無線端末局２において上りパケットが受信されると、ステップＳ２５２において、端末局優先制御フラグ２１１が設定されている場合、受信された上りパケットのヘッダーを解析して、優先制御の識別子（ＴＯＳビット）が設定されているか否かが判定される。優先制御の識別子が設定されていない場合、ステップＳ２５４において、受信した上りパケットを通常キューデータ２１３に入力する。
【００７７】
一方、ステップＳ２５２において端末局優先制御フラグ２１１が設定され、受信されたパケットに優先制御の識別子が設定されている場合、ステップＳ２５３において、パケットヘッダーを解析して、受信したパケットが優先対象のＶｏＩＰパケットであるか否かが判断される。優先対象のＶｏＩＰ上りパケットでない場合、ステップＳ２５４において、受信された上りパケットを通常キューデータ２１３に入力する。一方、優先対象のＶｏＩＰ上りパケットである場合、ステップＳ２５５において、受信した上りパケットを優先キューデータ２１２に入力する。
【００７８】
ステップＳ２５６において、優先キューデータ２１２及び通常キューデータ２１３に入力された上りパケットについて、通常キューデータ２１３に入力された上りパケットより優先的に、優先キューデータ２１２に入力された上りパケット（８０２．１１ＭＡＣ）を無線基地局１に送信する。このとき送信される上りパケットは、送信元アドレスが「Ｆ」、宛先アドレスが「Ａ」、送信ステーションアドレス（ＴＡ：Transmitter Address）が「Ｄ」、受信ステーションアドレス（ＲＡ：Receiver Address）が「Ｃ」のパケットである。
【００７９】
ステップＳ２５７において、無線基地局１によって、優先制御の識別子が設定された優先対象の上りパケットが受信されると、優先端末管理テーブル１１１において、無線端末局２のＭＡＣアドレスに対応づけられた基地局優先制御フラグをオンに設定する。
【００８０】
次に、図９を参照して、電話機４へＶｏＩＰ下りパケットが送信される場合について説明する。
【００８１】
図９に示すように、ステップＳ３０１において、通信中継装置５から無線基地局１に下りパケット（８０２．３ＭＡＣ）が送信される。この下りパケットは、送信元アドレスが「Ａ」、宛先アドレスが「Ｆ」のパケットである。無線基地局１において下りパケットが受信されると、ステップＳ３０２において、受信された下りパケットのヘッダーを解析して、優先対象となるＶｏＩＰパケットであるか否かが判定される。ＶｏＩＰパケットでない場合、ステップＳ３０４において、受信した下りパケットを通常キューデータ１１３に入力する。
【００８２】
一方、ステップＳ３０２において優先対象となるＶｏＩＰパケットであると判定された場合、ステップＳ３０３において、優先端末管理テーブル１１１において、無線端末局２に対応づけられた基地局優先制御フラグがオンに設定されている場合、ステップＳ３０４において、受信した下りパケットを優先キューデータ１１２に入力する。
【００８３】
ステップＳ３０６において、優先キューデータ１１２及び通常キューデータ１１３に入力された下りパケットについて、通常キューデータ１１３に入力された下りパケットより優先的に、優先キューデータ１１２に入力された下りパケット（８０２．１１ＭＡＣ）を無線端末局２に送信する。このとき送信される下りパケットは、送信元アドレスが「Ａ」、宛先アドレスが「Ｆ」、送信ステーションアドレス（ＴＡ：Transmitter Address）が「Ｃ」、受信ステーションアドレス（ＲＡ：Receiver Address）が「Ｄ」のパケットである。
【００８４】
次に、図１０を参照して、無線基地局１と無線端末局２との間のアソシエーションが切断される場合について説明する。
【００８５】
ステップＳ３５１において、無線基地局１によって、無線端末局２と無線基地局１のアソシエーションが切断されたことが検知されると、ステップＳ３５２において、優先端末管理テーブル１１１を読み出して、切断された無線端末局２のＭＡＣアドレスが登録されているか否かが判定される。登録されている場合、ステップＳ３５３において、無線端末局２のＭＡＣアドレスを優先制御管理テーブル１１１から削除する。
【００８６】
更に、ＶｏＩＰ付加契約サービスが解除される場合、ステップＳ３５４において、ＮＭＳ９から無線端末局２へ、優先制御制御の起動を停止させる優先制御停止リクエストが送信され、ステップＳ３５５において、無線端末局２の端末局優先制御フラグ２１１が「オフ（ｆａｌｓｅ）」に設定される。
【００８７】
更に、ステップＳ３５６において、無線端末局２から無線基地局１に優先設定停止情報が送信されると、無線基地局１は、優先端末管理テーブル１１１から無線端末局２のＭＡＣアドレスを削除する。
【００８８】
これにより、無線端末局２では、例えばＶｏＩＰ付加サービス契約を解除することができる。このＶｏＩＰ付加サービスを開始する設定は、ユーザによって所定の無線端末局２の電源が入れられることにより運用開始とすることで、無線端末局２が無線基地局１とアソシエーション確立をしている際に設定実行することが可能となる。この設定情報は、無線端末局２において、不揮発情報として記憶装置に記憶される。この設定を有効するためには、アソシエーションの再確立が必要となる。
【００８９】
（無線基地局の処理）
図１１乃至図１４を参照して、本発明の最良の実施の形態に係る無線基地局１の状態遷移について詳述する。
【００９０】
まず、図１１を参照して、通信中継装置５から受信される下りパケットは本来ならば優先対象ではあるが、無線基地局１において優先対象でないと識別される場合について説明する。  
ステップＳ５０１において、最初は、無線基地局１の無線端末局２に対するＶｏＩＰ優先制御は「オフ」に設定されている。具体的には無線端末局２のＭＡＣアドレスが、無線基地局１の優先端末管理テーブル１１１に登録されていない、又は、優先端末管理テーブル１１１の無線端末局２のＭＡＣアドレスに対応する基地局優先制御フラグがオフに設定されている。  
ここで、ステップＳ５０２においてＶｏＩＰパケットが送信されたとしても、ステップＳ５０３において基地局下り有線識別処理手段１４１は、優先端末管理テーブル１１１に無線端末局２のＭＡＣアドレスが登録されていない又は無線基地局２のＭＡＣアドレスに対応する基地局優先制御フラグがオフに設定されているので、受信されたＶｏＩＰパケットを非優先パケットと識別する。  
更に受信したＶｏＩＰパケットは、ステップＳ５０４において基地局下り無線識別処理手段１０３に入力される。ステップＳ５０５において基地局下り無線識別処理手段１０３は、優先端末管理テーブル１１１を読み出して、入力されたパケットの受信ステーションアドレスが登録されていないと判断する。これによりステップＳ５０５において基地局下り無線識別処理手段１０３は、入力されたパケットを非優先パケットであると識別し、入力されたパケットを通常キューデータ１１３に入力して、ステップＳ５０６において非優先でＶｏＩＰパケットを無線端末局２に送信させる。
【００９１】
次に、図１２を参照して、無線端末局２からＶｏＩＰパケットが送受信される場合について説明する。  
ステップＳ５５１において、優先制御の識別子が設定されたＶｏＩＰパケットが送信されると、ステップＳ５５２において、基地局上り無線識別処理手段１０２は、入力されたパケットのヘッダー情報などから優先対象のＶｏＩＰパケットであると認識する。このとき、無線基地局１の優先端末管理テーブル１１１において、無線端末局２のＭＡＣアドレスに対応する基地局優先制御フラグがオンに設定される。更にこれに伴って、無線端末局宛の下り回線においてＶｏＩＰ優先制御が設定される。この様に設定された後、ステップＳ５５４において、基地局上り無線識別処理手段１０２は、ＶｏＩＰパケットを通信中継装置５に送信する。  
ここで、ステップＳ５５５においてＶｏＩＰパケットが送信される。ここで、優先端末管理テーブル１１１に無線端末局２のＭＡＣアドレスが登録され、無線端末局２のＭＡＣアドレスに対応する基地局優先制御フラグがオンに設定されている。従って、ステップＳ５５６において、無線端末局の下り回線においてもＶｏＩＰ優先制御が設定されているので、基地局下り有線識別処理手段１４１は、ステップＳ５５６において、優先制御対象である優先パケットであると識別し、ステップＳ５５７において、ＶｏＩＰパケット優先処理を行う。具体的には、無線通信ネットワーク１０が輻輳時には、基地局下り有線識別処理手段１４１は、優先対象であるＶｏＩＰパケットを通過させ、非ＶｏＩＰパケットは破棄する。  
更にステップＳ５５８において、基地局下り有線識別処理手段１４１はＶｏＩＰパケットを基地局下り無線識別処理手段１０３に入力する。  
ここで、ステップＳ５５８においてＶｏＩＰパケットが入力される。ここで、優先端末管理テーブル１１１に無線端末局２のＭＡＣアドレスが登録され、無線端末局２のＭＡＣアドレスに対応する基地局優先制御フラグがオンに設定されている。従って、ステップＳ５５９において、基地局下り無線識別処理手段１０３は、受信したＶｏＩＰパケットを優先パケットであると識別し、ステップＳ５６０において、ＶｏＩＰパケット優先処理を行う。具体的には、ＶｏＩＰパケットを優先キューデータ１１２に入力し、基地局下り無線送信制御手段１０４によって、通常キューデータ１１３に入力されたパケットに比べて優先的に送信され、ステップＳ５６１においてＶｏＩＰパケットが無線端末局２に送信される。
【００９２】
次に、図１３を参照して、通信中継装置から通常パケットが送信される場合について説明する。  
ステップＳ６０１において、通常パケットが送信されると、ステップＳ６０２において、基地局下り有線識別処理手段１４１は、ステップＳ６０２において、パケットヘッダーなどを解析して非ＶｏＩＰパケットであり非優先パケットであると識別し、ステップＳ６０３において、基地局下り無線識別処理手段１０３に通常パケットを入力する。  
ここで、ステップＳ６０３で通常パケットが入力されると、ステップＳ６０４において非ＶｏＩＰパケットであり非優先パケットであると識別し、ステップＳ６０４において、非優先の送信処理を行う。具体的には、通常パケットを通常キューデータ１１３に入力し、基地局下り無線送信制御手段１０４によって、優先キューデータ１１２に入力されたパケットに比べて非優先的に送信され、ステップＳ６０５において通常パケットが無線端末局２に送信される。
【００９３】
次に、図１４を参照して、無通信時間が所定の閾値を経過したことによって優先端末管理テーブル１１１の無線端末局２に対応する基地局優先制御フラグがオフに設定されている場合の処理について説明する。  
このとき、ステップＳ６５１に示すように、無線端末局２の下り回線のＶｏＩＰ優先は「オフ」に設定され、無線端末局２のＭＡＣアドレスが優先端末管理テーブル１１１の無線端末局２に対応する基地局優先制御フラグがオフに設定されている。  
ここで、ステップＳ６５２においてＶｏＩＰパケットが送信されたとしても、ステップＳ６５３において基地局下り有線識別処理手段１４１は、受信されたＶｏＩＰパケットを非優先パケットと識別する。
【００９４】
更に受信したＶｏＩＰパケットは、ステップＳ６５４において基地局下り無線識別処理手段１０３に入力される。ステップＳ６５５において基地局下り無線識別処理手段１０３は、優先端末管理テーブル１１１を読み出して、入力されたパケットの受信ステーションアドレスに対応する基地局優先制御フラグがオフに設定されていると判断する。これによりステップＳ６５５において基地局下り無線識別処理手段１０３は、入力されたＶｏＩＰパケットを非優先パケットであると識別し、入力されたパケットを通常キュー１１３に入力して、ステップＳ６５６において非優先でパケットを無線端末局２に送信させる。  
この様な本発明に係るパケット優先制御通信方法によれば、優先制御開始時に、無線端末局２において優先制御フラグ２１１をオンに設定し、無線基地局１において優先端末管理テーブル１１１に無線端末局２のＭＡＣアドレスを登録することにより、上り下りの双方向で優先制御を行うことができる。具体的には、無線端末局２において統合アクセス装置３から優先制御の識別子が設定された優先対象の上りパケットが入力されると、無線端末局２の優先制御フラグ２１１がオンになっている場合、優先制御して無線通信ネットワーク１０を介して無線基地局１に上りパケットを送信する。更に無線基地局１において通信中継装置５から下りパケットが入力されると、優先端末管理テーブル１１１に無線端末局２のＭＡＣアドレスが登録され、無線端末局のＭＡＣアドレスに対応づけられた基地局優先制御フラグがオンに設定されている場合、優先制御して無線通信ネットワーク１０を介して無線端末局２に下りパケットを送信する。
【００９５】
この様に、通信速度の遅い無線通信ネットワークにおいてＶｏＩＰパケットを優先的に送信することにより、ＩＰ電話における音声品質を双方向で確保することができる。
【００９６】
（最良の実施の形態の変形例）
最良の実施の形態においては、無線基地局１において無線端末局２の単位で優先制御される場合について説明したが、最良の実施の形態の変形例においては、無線基地局１において統合アクセス装置３の単位で優先制御がされる場合について説明する。
【００９７】
具体的には、図４に示した優先端末管理テーブル１１１は、図１５に示すように、優先対象毎にＶｏＩＰ優先端末のＭＡＣアドレスとＶｏＩＰ利用機のＭＡＣアドレスと基地局優先制御フラグが対応づけられて記憶されている。
【００９８】
ここで、本発明の最良の実施の形態の変形例に係る無線基地局１の基地局上り無線受信制御手段１０１は、無線端末局２からの上りパケットを受信する。
【００９９】
基地局上り無線識別処理手段１０２は、基地局上り受信制御手段１０１によって受信された上りパケットについて、送信元ＭＡＣアドレスとして含まれた統合アクセス装置３のＭＡＣアドレスが、優先端末管理テーブル１１１に記憶されておらず、更に上りパケットで送信ステーションアドレスとして含まれた無線端末局２のＭＡＣアドレスが優先端末管理テーブル１１１に記憶されている場合、統合アクセス装置３のＭＡＣアドレスを、無線端末局２のＭＡＣアドレスに関連づけて優先端末管理テーブル１１１に記憶する。
【０１００】
更に基地局上り無線識別処理手段１０２は、基地局上り受信制御手段１０１によって優先制御の識別子が設定された優先対象のパケットが受信されると、優先管理テーブルの端末局のＭＡＣアドレス及び統合アクセス装置のＭＡＣアドレスに対応づけられた基地局優先制御フラグをオンに設定する。
【０１０１】
基地局上り無線識別処理手段１０２は、無線端末局２から優先制御の識別子が設定された優先対象の上りパケットが最後に受信されてからの無通信時間をカウントし、無通信時間が所定時間経過すると、優先端末管理テーブル１１１から無線端末局２のＭＡＣアドレス及び統合アクセス装置３に対応づけられた基地局優先制御フラグをオフに設定する。更に基地局上り無線識別処理手段１０２は、無線端末局２を介して統合アクセス装置３から上りパケットが最後に受信されてからの無通信時間をカウントし、無通信時間が所定時間経過すると、優先端末管理テーブル１１１の無線端末局２のＭＡＣアドレスに対応づけられた統合アクセス装置３のＭＡＣアドレスを削除する。
【０１０２】
基地局下り無線識別処理手段１０３は、通信中継装置５から電話機４宛の下りパケットを受信し、下りパケットが優先対象のパケットであって、優先端末管理テーブル１１１に下りパケットの受信ステーションアドレスである無線端末局２のＭＡＣアドレスに対応して下りパケットの宛先アドレスである統合アクセス装置３のＭＡＣアドレスが記憶され、無線端末局２のＭＡＣアドレス及び統合アクセス装置３のＭＡＣアドレスに対応した基地局優先優先制御フラグがオンに設定されている場合、下りパケットを無線基地局１の優先キューデータ１１２に入力する。これにより、無線基地局１の通常キューデータ１１３に入力された下りパケットより優先的に、無線基地局１の優先キューデータ１１２に入力された下りパケットが無線端末局２に送信される。
【０１０３】
次に、図１６を参照して、本発明の最良の実施の形態の変形例において、統合アクセス装置３のＭＡＣアドレスを優先端末管理テーブル１１１に登録する処理を説明する。
【０１０４】
まず、ステップＳ４０１において、上りパケット（８０２．３ＭＡＣ）が、統合アクセス装置３によって無線端末局２に送信される。このとき送信される上りパケットは、送信元アドレスが「Ｆ」、宛先アドレスがブロードキャストのパケットである。
【０１０５】
無線端末局２によって上りパケットが受信されると、無線端末局２は無線通信ネットワーク１０で送信可能なパケット（８０２．１１ＭＡＣ）を生成し、無線基地局１に送信する。このとき送信されるパケットは、送信元アドレスが「Ｆ」、宛先アドレスがブロードキャスト、送信ステーションアドレスが「Ｄ」、受信ステーションアドレスが「Ｃ」のパケットである。
【０１０６】
無線基地局１は上りパケットを受信すると、ステップＳ４０３において、無線通信可能な様に付加されたヘッダーを取り除いたパケット（８０２．３ＭＡＣ）を生成し、通信中継装置５に送信する。このとき送信される音声パケットは、送信元アドレスが「Ｆ」、宛先アドレスがブロードキャストのパケットである。
【０１０７】
更に無線基地局１は、ステップＳ４０４において、送信元アドレスである統合アクセス装置のＭＡＣアドレス「Ｆ」の学習が必要であるか否かを判定する。具体的には、優先端末管理テーブル１１１を読み出して、統合アクセス装置３のＭＡＣアドレス「Ｆ」が優先端末管理テーブル１１１に含まれているか否かを判定する。統合アクセス装置のＭＡＣアドレス「Ｆ」が含まれていない場合、ステップＳ４０５において、無線端末局２が優先端末であるか否かが判定される。具体的には、ステップＳ４０５において、受信したパケットの送信ステーションアドレスである無線端末局２のＭＡＣアドレス「Ｄ」が優先端末管理テーブル１１１に含まれている場合、統合アクセス装置３のＭＡＣアドレス「Ｆ」をＶｏＩＰ利用機として、無線端末局２のＭＡＣアドレスに対応づけて登録する。
【０１０８】
これにより、本発明の最良の実施の形態の変形例に係るパケット優先制御通信方法によれば、無線基地局において統合アクセス装置のＭＡＣアドレスまで含めて優先制御であるか否かが判定されているので、同じ無線端末局を使用しても統合アクセス装置が異なる場合は、優先制御を受けることができない。この様に、本発明の最良の実施の形態の変形例に係るパケット優先制御通信方法によれば、統合アクセス装置毎に、優先制御を設定することができ、一つの無線端末局に複数の統合アクセス装置を接続し、それぞれの統合アクセス装置に異なるサービスを提供することができる。
【０１０９】
（その他の実施の形態）
上記のように、本発明の最良の実施の形態及び変形例によって記載したが、この開示の一部をなす論述及び図面はこの発明を限定するものであると理解すべきではない。この開示から当業者には様々な代替実施の形態、実施例及び運用技術が明らかとなる。
【０１１０】
本発明の最良の実施の形態に係る通信システムにおいては、リアルタイムで通信されるＶｏＩＰ技術を用いたパケットを優先制御する場合について説明したが、優先制御するパケットはＶｏＩＰ技術を用いたパケットに限定されなくとも良い。具体的には、所定のアプリケーションによって送受信されるパケットを優先制御の対象としても良いし、所定の情報端末によって送受信されるパケットを優先制御の対象としても良い。
【０１１１】
また、本発明の請求項に記載されている基地局及び端末局は、無線基地局及び無線端末局に限られない。基地局は、優先制御する通信ネットワークの上流に位置する通信制御装置である一方、端末局は、優先制御する通信ネットワークの下流に位置する通信制御装置である。
【０１１２】
本発明はここでは記載していない様々な実施の形態等を含むことは勿論である。従って、本発明の技術的範囲は上記の説明から妥当な特許請求の範囲に係る発明特定事項によってのみ定められるものである。
【産業上の利用可能性】
【０１１３】
本発明に係るパケット優先制御通信方法、パケット優先制御通信方法に用いられる基地局及び端末局は、優先制御を利用し双方向で音声品質を確保することができる。
【図面の簡単な説明】
【０１１４】
【図１】本発明の最良の実施の形態に係る通信システムのシステム構成図である。
【図２】本発明の最良の実施の形態に係るパケット優先制御通信方法における上り方向の処理の概略を説明する図である。
【図３】本発明の最良の実施の形態に係るパケット優先制御通信方法における下り方向の処理の概略を説明する図である。
【図４】本発明の最良の実施の形態に係る無線基地局の構成を説明する図である。
【図５】本発明の最良の実施の形態に係る無線基地局の優先端末管理テーブルのデータ構造とデータの一例を説明する図である。
【図６】本発明の最良の実施の形態に係る無線端末局の構成を説明する図である。
【図７】本発明の最良の実施の形態に係るパケット優先制御通信方法における設定処理を説明する図である。
【図８】本発明の最良の実施の形態に係るパケット優先制御通信方法における上り方向の処理を説明する図である。
【図９】本発明の最良の実施の形態に係るパケット優先制御通信方法における下り方向の処理を説明する図である。
【図１０】本発明の最良の実施の形態に係るパケット優先制御通信方法におけるアソシエーションが切断された場合と、サービスを解除する場合の処理を説明する図である。
【図１１】本発明の最良の実施の形態に係る無線基地局において、ステータスとパケット送信について説明する図である。（その１）
【図１２】本発明の最良の実施の形態に係る無線基地局において、ステータスとパケット送信について説明する図である。（その２）
【図１３】本発明の最良の実施の形態に係る無線基地局において、ステータスとパケット送信について説明する図である。（その３）
【図１４】本発明の最良の実施の形態に係る無線基地局において、ステータスとパケット送信について説明する図である。（その４）
【図１５】本発明の最良の実施の形態の変形例に係る無線基地局の優先端末管理テーブルのデータ構造とデータの一例を説明する図である。
【図１６】本発明の最良の実施の形態の変形例において、統合アクセス装置のＭＡＣアドレスを無線基地局の優先端末管理テーブルに登録する処理を説明する図である。
【符号の説明】
【０１１５】
１…無線基地局
２…無線端末局
３，６…統合アクセス装置
４，７…電話機
５，８…通信中継装置
９…ＮＭＳ
１０…無線通信ネットワーク
１１…Ｌ３通信ネットワーク
１２…通信システム
１００、２００…無線通信制御部
１０１…基地局上り無線受信制御手段
１０２…基地局上り無線識別処理手段
１０３…基地局下り無線識別処理手段
１０４…基地局下り無線送信制御手段
１１１…優先端末管理テーブル
１１２、２１２…優先キューデータ
１１３、２１３…通常キューデータ
１２０、２２０…マルチプレクサ／ブリッジ
１４０、２４０…有線通信制御部
１４１…基地局下り有線識別処理手段
２０１…端末局下り無線受信制御手段
２０２…端末局上り無線識別処理手段
２０３…端末局上り無線送信制御手段
２１１…端末局優先制御フラグ
【図１】
2006229620.tif 000003
【図２】
2006229620.tif 000004
【図３】
2006229620.tif 000005
【図４】
2006229620.tif 000006
【図５】
2006229620.tif 000007
【図６】
2006229620.tif 000008
【図７】
2006229620.tif 000009
【図８】
2006229620.tif 000010
【図９】
2006229620.tif 000011
【図１０】
2006229620.tif 000012
【図１１】
2006229620.tif 000013
【図１２】
2006229620.tif 000014
【図１３】
2006229620.tif 000015
【図１４】
2006229620.tif 000016
【図１５】
2006229620.tif 000017
【図１６】
2006229620.tif 000018